【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することと、
前記多重化されたレイヤおよび前記ポートを使用して、前記構成されたＤＭＲＳパターンに基づいて、ＤＭＲＳシンボルを送信することと
を備える、方法。
【請求項２】
前記複数のＵＥに、無線リソース制御（ＲＲＣ）シグナリングを使用して、前記構成されたＤＭＲＳパターンに関する指示を与えることをさらに備え、前記指示が、
第１および第２のＣＤＭグループのために使用される多重化のタイプを示す第１のデータと、
前記ＯＣＣの長さを示す第２のデータとを備える、請求項１に記載の方法。
【請求項３】
前記複数のユーザ機器（ＵＥ）のうちの１ＵＥの速度、またはより高次のマルチユーザ多入力多出力（ＭＵ−ＭＩＭＯ）通信をサポートするための前記ＵＥの能力に基づいて、前記構成されたＤＭＲＳパターンを動的に切り替えることをさらに備える、請求項１に記載の方法。
【請求項４】
物理ダウンリンク制御チャネル（ＰＤＣＣＨ）上でＬ１制御シグナリングを使用して、前記ＤＭＲＳシンボルを送信するための、送信アンテナの前記多次元アレイの前記ポートとレイヤの前記数とに関する指示を通信することをさらに備える、請求項１に記載の方法。
【請求項５】
Ｌ１制御シグナリングを使用して、前記構成されたＤＭＲＳパターンと送信アンテナの前記多次元アレイの前記ポートとのジョイント指示を通信することをさらに備え、
前記ジョイント指示が、物理ダウンリンク共有チャネル（ＰＤＳＣＨ）レートマッチング指示のための１ビットと、前記構成されたＤＭＲＳパターンおよび送信アンテナの前記多次元アレイの前記ポートを示す４ビットとを備える、請求項１に記載の方法。
【請求項６】
前記ＯＣＣが、シーケンス｛ａ，ｂ，ｃ，ｄ｝によって示される長さ４のウォルシュコードを備え、前記方法が、
周波数領域上で、前記ＯＣＣと他のＯＣＣとの間で切り替えることをさらに備え、ここにおいて、前記他のＯＣＣが前記長さ４のウォルシュコードのサイクリックシフトバージョンであり、前記他のＯＣＣが、前記シーケンス｛ｂ，ｃ，ｄ，ａ｝によって示される長さ４のウォルシュコードを備える、請求項１に記載の方法。
【請求項７】
前記ＤＭＲＳシンボルを送信するために使用される複数のバンドルリソースブロック（ＲＢ）のために、前記複数のＵＥのうちのＵＥをスケジュールすることと、
前記複数のバンドルＲＢに同じプリコーダを適用することと、
前記共同スケジュールされたＵＥに、前記複数のバンドルＲＢのサイズに関する指示を与えることとをさらに備える、請求項１に記載の方法。
【請求項８】
ｅノードＢによるワイヤレス通信のための装置であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することとを行うように構成された少なくとも１つのプロセッサと、
前記多重化されたレイヤおよび前記ポートを使用して、前記構成されたＤＭＲＳパターンに基づいて、ＤＭＲＳシンボルを送信するように構成されたトランシーバとを備える、装置。
【請求項９】
ユーザ機器（ＵＥ）によるワイヤレス通信のための方法であって、
基地局（ＢＳ）から、復調基準信号（ＤＭＲＳ）パターンを示すダウンリンク（ＤＬ）制御シグナリングを受信することと、
前記ＤＬ制御シグナリングに基づいて、ＤＭＲＳシンボル送信のための、アンテナの多次元アレイのポートと空間多重化レイヤとを決定することと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
前記決定に基づいて前記ＤＭＲＳシンボルを受信することとを備える、方法。
【請求項１０】
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
前記第１のＣＤＭグループおよび前記第２のＣＤＭグループが、時間および周波数領域における同じリソース要素上で非直交多重化され、
前記第１のＣＤＭグループが第１のスクランブリングシーケンスを使用し、前記第２のＣＤＭグループが第２のスクランブリングシーケンスを使用する、請求項１または９に記載の方法。
【請求項１１】
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
直交時分割多重化（ＴＤＭ）および周波数分割多重化（ＦＤＭ）が、前記第１のＣＤＭグループと前記第２のＣＤＭグループとの間で適用される、請求項１または９に記載の方法。
【請求項１２】
前記ＯＣＣが長さ４のＯＣＣを備え、
前記１つまたは複数のＣＤＭグループが、時間領域における４つの不連続リソース要素（ＲＥ）にわたる４つのレイヤまたは４つのポートに割り振られた単一のＣＤＭグループを備える、請求項１または９に記載の方法。
【請求項１３】
前記ＯＣＣが長さ４のＯＣＣを備え、
前記１つまたは複数のＣＤＭグループが、
時間領域における４つの不連続リソース要素（ＲＥ）にわたる４つのレイヤまたは４つのポートの第１のセットに割り振られた第１のＣＤＭグループと、
時間領域における前記４つの不連続ＲＥにわたる４つのレイヤまたは４つのポートの第２のセットに割り振られた第２のＣＤＭグループとを備え、
前記第１のＣＤＭグループおよび前記第２のＣＤＭグループが、時間および周波数領域における同じリソース要素上で非直交多重化され、ここにおいて、前記第１のＣＤＭグループが第１のスクランブリングシーケンスを使用し、前記第２のＣＤＭグループが第２のスクランブリングシーケンスを使用する、請求項１または９に記載の方法。
【請求項１４】
無線リソース制御（ＲＲＣ）シグナリングを介して、前記ＤＭＲＳパターンに関する指示を受信することをさらに備え、前記指示が、
第１および第２のＣＤＭグループのために使用される多重化のタイプを識別する第１のデータと、
前記ＯＣＣの長さを識別する第２のデータとを備える、請求項９に記載の方法。
【請求項１５】
物理ダウンリンク制御チャネル（ＰＤＣＣＨ）上でＬ１制御シグナリングを使用して、前記ＤＭＲＳシンボルを送信するための、アンテナの前記多次元アレイの前記ポートとレイヤの数とに関する指示を受信することをさらに備える、請求項９に記載の方法。
【請求項１６】
Ｌ１制御シグナリングを使用して、前記ＤＭＲＳパターンとアンテナの前記多次元アレイの前記ポートとのジョイント指示を受信することをさらに備える、請求項９に記載の方法。
【請求項１７】
前記ジョイント指示が、物理ダウンリンク共有チャネル（ＰＤＳＣＨ）レートマッチング指示のための１ビットと、構成されたＤＭＲＳパターンおよび送信アンテナの前記多次元アレイの前記ポートを示す４ビットとを備える、請求項９に記載の方法。
【請求項１８】
共同スケジュールされたユーザ機器（ＵＥ）のための同じバンドリング境界に基づいて、複数のバンドルリソースブロック（ＲＢ）内で受信された前記ＤＭＲＳシンボルを処理すること、または、
より高いレイヤ構成されたバンドリング境界に基づいて、複数のバンドルリソースブロック（ＲＢ）中で受信された前記ＤＭＲＳシンボルを処理することをさらに備え、
ここにおいて、同じプリコーダが前記複数のバンドルＲＢ内の各ポートのために使用された、請求項９に記載の方法。
【請求項１９】
ユーザ機器（ＵＥ）によるワイヤレス通信のための装置であって、
ＤＬ制御シグナリングに基づいて、ＤＭＲＳシンボル送信のための、アンテナの多次元アレイのポートと空間多重化レイヤとを決定するように構成されたプロセッサと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
基地局から、復調基準信号（ＤＭＲＳ）パターンを示す前記ダウンリンク（ＤＬ）制御シグナリングを受信することと、
前記決定に基づいて前記ＤＭＲＳシンボルを受信することとを行うように構成されたトランシーバとを備える、装置。
【手続補正２】
【補正対象書類名】明細書
【補正対象項目名】００９９
【補正方法】変更
【補正の内容】
【００９９】
[00116]  特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願の出願当初の特許請求の範囲に記載された発明を付記する。
［Ｃ１］
基地局（ＢＳ）によるワイヤレス通信のための方法であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することと、
前記多重化されたレイヤおよび前記ポートを使用して、前記構成されたＤＭＲＳパターンに基づいて、ＤＭＲＳシンボルを送信することとを備える、方法。
［Ｃ２］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
前記第１のＣＤＭグループおよび前記第２のＣＤＭグループが、時間および周波数領域における同じリソース要素上で非直交多重化され、
前記第１のＣＤＭグループが前記第２のＣＤＭグループとは異なるスクランブリングシーケンスを使用する、Ｃ１に記載の方法。
［Ｃ３］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
直交時分割多重化（ＴＤＭ）および周波数分割多重化（ＦＤＭ）が、前記第１のＣＤＭグループと前記第２のＣＤＭグループとの間で適用される、Ｃ１に記載の方法。
［Ｃ４］
前記ＯＣＣが長さ４のＯＣＣを備え、
前記１つまたは複数のＣＤＭグループが、時間領域における４つの不連続リソース要素（ＲＥ）にわたる４つのレイヤまたは４つのポートに割り振られた単一のＣＤＭグループを備える、Ｃ１に記載の方法。
［Ｃ５］
前記ＯＣＣが長さ４のＯＣＣを備え、
前記１つまたは複数のＣＤＭグループが、
時間領域における４つの不連続リソース要素（ＲＥ）にわたる４つのレイヤまたは４つのポートの第１のセットに割り振られた第１のＣＤＭグループと、
時間領域における前記４つの不連続ＲＥにわたる４つのレイヤまたは４つのポートの第２のセットに割り振られた第２のＣＤＭグループとを備え、
前記第１のＣＤＭグループおよび前記第２のＣＤＭグループが、時間および周波数領域における同じリソース要素上で非直交多重化され、ここにおいて、前記第１のＣＤＭグループが第１のスクランブリングシーケンスを使用し、前記第２のＣＤＭグループが第２のスクランブリングシーケンスを使用する、Ｃ１に記載の方法。
［Ｃ６］
前記複数のＵＥに、無線リソース制御（ＲＲＣ）シグナリングを使用して、前記構成されたＤＭＲＳパターンに関する指示を与えることをさらに備える、Ｃ１に記載の方法。
［Ｃ７］
前記指示が、
第１および第２のＣＤＭグループのために使用される多重化のタイプを示す第１のデータと、
前記ＯＣＣの長さを示す第２のデータとを備える、Ｃ６に記載の方法。
［Ｃ８］
前記複数のユーザ機器（ＵＥ）のうちの１ＵＥの速度、またはより高次のマルチユーザ多入力多出力（ＭＵ−ＭＩＭＯ）通信をサポートするための前記ＵＥの能力に基づいて、前記構成されたＤＭＲＳパターンを動的に切り替えることをさらに備える、Ｃ１に記載の方法。
［Ｃ９］
物理ダウンリンク制御チャネル（ＰＤＣＣＨ）上でＬ１制御シグナリングを使用して、前記ＤＭＲＳシンボルを送信するための、送信アンテナの前記多次元アレイの前記ポートとレイヤの前記数とに関する指示を通信することをさらに備える、Ｃ１に記載の方法。
［Ｃ１０］
Ｌ１制御シグナリングを使用して、前記構成されたＤＭＲＳパターンと送信アンテナの前記多次元アレイの前記ポートとのジョイント指示を通信することをさらに備える、Ｃ１に記載の方法。
［Ｃ１１］
前記ジョイント指示が、物理ダウンリンク共有チャネル（ＰＤＳＣＨ）レートマッチング指示のための１ビットと、前記構成されたＤＭＲＳパターンおよび送信アンテナの前記多次元アレイの前記ポートを示す４ビットとを備える、Ｃ１０に記載の方法。
［Ｃ１２］
前記ＯＣＣが、シーケンス｛ａ，ｂ，ｃ，ｄ｝によって示される長さ４のウォルシュコードを備え、前記方法が、
周波数領域上で、前記ＯＣＣと他のＯＣＣとの間で切り替えることをさらに備え、ここにおいて、前記他のＯＣＣが前記長さ４のウォルシュコードのサイクリックシフトバージョンである、Ｃ１に記載の方法。
［Ｃ１３］
前記他のＯＣＣが、前記シーケンス｛ｂ，ｃ，ｄ，ａ｝によって示される長さ４のウォルシュコードを備える、Ｃ１２に記載の方法。
［Ｃ１４］
前記ＤＭＲＳシンボルを送信するために使用される複数のバンドルリソースブロック（ＲＢ）のために、前記複数のＵＥのうちのＵＥをスケジュールすることと、
前記複数のバンドルＲＢに同じプリコーダを適用することと、
前記共同スケジュールされたＵＥに、前記複数のバンドルＲＢのサイズに関する指示を与えることとをさらに備える、Ｃ１に記載の方法。
［Ｃ１５］
ｅノードＢによるワイヤレス通信のための装置であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することとを行うように構成された少なくとも１つのプロセッサと、
前記多重化されたレイヤおよび前記ポートを使用して、前記構成されたＤＭＲＳパターンに基づいて、ＤＭＲＳシンボルを送信するように構成されたトランシーバとを備える、装置。
［Ｃ１６］
ユーザ機器（ＵＥ）によるワイヤレス通信のための方法であって、
基地局（ＢＳ）から、復調基準信号（ＤＭＲＳ）パターンを示すダウンリンク（ＤＬ）制御シグナリングを受信することと、
前記ＤＬ制御シグナリングに基づいて、ＤＭＲＳシンボル送信のための、アンテナの多次元アレイのポートと空間多重化レイヤとを決定することと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
前記決定に基づいて前記ＤＭＲＳシンボルを受信することとを備える、方法。
［Ｃ１７］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
前記第１のＣＤＭグループおよび前記第２のＣＤＭグループが、時間および周波数領域における同じリソース要素上で非直交多重化され、
前記第１のＣＤＭグループが第１のスクランブリングシーケンスを使用し、前記第２のＣＤＭグループが第２のスクランブリングシーケンスを使用する、Ｃ１６に記載の方法。
［Ｃ１８］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
直交時分割多重化（ＴＤＭ）および周波数分割多重化（ＦＤＭ）が、前記第１のＣＤＭグループと前記第２のＣＤＭグループとの間で適用される、Ｃ１６に記載の方法。
［Ｃ１９］
前記ＯＣＣが長さ４のＯＣＣを備え、
前記１つまたは複数のＣＤＭグループが、時間領域における４つの不連続リソース要素（ＲＥ）にわたる４つのレイヤまたは４つのポートに割り振られた単一のＣＤＭグループを備える、Ｃ１６に記載の方法。
［Ｃ２０］
前記ＯＣＣが長さ４のＯＣＣを備え、
前記１つまたは複数のＣＤＭグループが、
時間領域における４つの不連続リソース要素（ＲＥ）にわたる４つのレイヤまたは４つのポートの第１のセットに割り振られた第１のＣＤＭグループと、
時間領域における前記４つの不連続ＲＥにわたる４つのレイヤまたは４つのポートの第２のセットに割り振られた第２のＣＤＭグループとを備え、
前記第１のＣＤＭグループおよび前記第２のＣＤＭグループが、時間および周波数領域における同じリソース要素上で非直交多重化され、ここにおいて、前記第１のＣＤＭグループが第１のスクランブリングシーケンスを使用し、前記第２のＣＤＭグループが第２のスクランブリングシーケンスを使用する、Ｃ１６に記載の方法。
［Ｃ２１］
無線リソース制御（ＲＲＣ）シグナリングを介して、前記ＤＭＲＳパターンに関する指示を受信することをさらに備える、Ｃ１６に記載の方法。
［Ｃ２２］
前記指示が、
第１および第２のＣＤＭグループのために使用される多重化のタイプを識別する第１のデータと、
前記ＯＣＣの長さを識別する第２のデータとを備える、Ｃ２１に記載の方法。
［Ｃ２３］
物理ダウンリンク制御チャネル（ＰＤＣＣＨ）上でＬ１制御シグナリングを使用して、前記ＤＭＲＳシンボルを送信するための、アンテナの前記多次元アレイの前記ポートとレイヤの数とに関する指示を受信することをさらに備える、Ｃ１６に記載の方法。
［Ｃ２４］
Ｌ１制御シグナリングを使用して、前記ＤＭＲＳパターンとアンテナの前記多次元アレイの前記ポートとのジョイント指示を受信することをさらに備える、Ｃ１６に記載の方法。
［Ｃ２５］
前記ジョイント指示が、物理ダウンリンク共有チャネル（ＰＤＳＣＨ）レートマッチング指示のための１ビットと、構成されたＤＭＲＳパターンおよび送信アンテナの前記多次元アレイの前記ポートを示す４ビットとを備える、Ｃ１６に記載の方法。
［Ｃ２６］
共同スケジュールされたユーザ機器（ＵＥ）のための同じバンドリング境界に基づいて、複数のバンドルリソースブロック（ＲＢ）内で受信された前記ＤＭＲＳシンボルを処理することをさらに備え、
ここにおいて、同じプリコーダが前記複数のバンドルＲＢ内の各ポートのために使用された、Ｃ１６に記載の方法。
［Ｃ２７］
より高いレイヤ構成されたバンドリング境界に基づいて、複数のバンドルリソースブロック（ＲＢ）中で受信された前記ＤＭＲＳシンボルを処理することをさらに備え、
ここにおいて、同じプリコーダが前記複数のバンドルＲＢ内の各ポートのために使用された、Ｃ１６に記載の方法。
［Ｃ２８］
ユーザ機器（ＵＥ）によるワイヤレス通信のための装置であって、
ＤＬ制御シグナリングに基づいて、ＤＭＲＳシンボル送信のための、アンテナの多次元アレイのポートと空間多重化レイヤとを決定するように構成されたプロセッサと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
基地局から、復調基準信号（ＤＭＲＳ）パターンを示す前記ダウンリンク（ＤＬ）制御シグナリングを受信することと、
前記決定に基づいて前記ＤＭＲＳシンボルを受信することとを行うように構成されたトランシーバとを備える、装置。